(57)【要約】【課題】アクセスリスト情報を記憶するためのメモリの負担を軽減し、また、再生エリア切り換え時間の短縮を図れる光ディスク再生装置を提供する。【解決手段】挿入された光ディスク１がＳＡＣＤであった場合、再生しようとするＨＤ層の２チャンネルのアクセスリスト情報がアクセスリスト取得手段１１２により取得され、マルチチャンネル切り換え要求が発生した場合に再生情報が再生情報設定手段１１３によりマルチチャンネル用に設定され、この後、再生要求があったとき、マルチチャンネルのアクセスリスト情報がアクセスリスト要求手段１１５により要求される。そして再生制御手段１１６によりマルチチャンネルのアクセスリスト情報が取得され、バッファメモリ９のアクセスリスト情報が２チャンネルのアクセスリスト情報からマルチチャンネルのアクセスリスト情報に入れ換えられ、マルチチャンネルから再生が開始される。【選択図】      図１
2005050390.tif 000002
【特許請求の範囲】
【請求項１】
第１のサンプリング周波数で量子化されたマルチビットデジタル信号が記録されたＣＤ層と、前記第１のサンプリング周波数よりも十分高い第２のサンプリング周波数で量子化された２チャンネルの１ビットデジタル信号とマルチチャンネルの１ビットデジタル信号とが予め区分されたエリアにそれぞれ記録されたＨＤ層とから構成されるハイブリッド型の光ディスクに対しても再生することができる光ディスク再生装置において、挿入された光ディスクを判別するディスク判別手段と、前記判別された光ディスクがハイブリッド型の光ディスクであった場合に再生しようとするＨＤ層の２チャンネルのアクセスリスト情報を取得するアクセスリスト取得手段と、再生エリア切り換え要求が発生した場合に再生に必要な再生情報を指定再生エリア用に設定する再生情報設定手段と、前記再生情報が指定再生エリア用に設定された後に再生要求があるか否かを判定する再生要求判定手段と、前記再生要求があったとき指定再生エリアのアクセスリスト情報を要求するアクセスリスト要求手段と、前記指定再生エリアのアクセスリスト情報の要求があった時に前記指定再生エリアのアクセスリスト情報を取得してアクセスリスト情報を前記２チャンネルのアクセスリスト情報から前記指定再生エリアのアクセスリスト情報に入れ換えて前記指定再生エリアから再生を開始させる再生制御手段と有するシステムコントローラを備えたことを特徴とする光ディスク再生装置。
【請求項２】
第１のサンプリング周波数で量子化されたマルチビットデジタル信号が記録されたＣＤ層と、前記第１のサンプリング周波数よりも十分高い第２のサンプリング周波数で量子化された２チャンネルの１ビットデジタル信号とマルチチャンネルの１ビットデジタル信号とが予め区分されたエリアにそれぞれ記録されたＨＤ層とから構成されるハイブリッド型の光ディスクに対しても再生することができる光ディスク再生装置において、最初、再生しようとするエリアだけのアクセスリスト情報を取得して、再生エリアの切り換え要求が発生し、次に再生要求が発生した時に、前記アクセスリスト情報に代わり、前記再生要求で指定された再生エリアのアクセスリスト情報を取得し、この後、前記指定されたエリアの再生を開始するように制御を行うシステムコントローラを備えたことを特徴とする光ディスク再生装置。
【請求項３】
前記アクセスリスト情報とは、時間情報からアドレス情報への変換を行うための情報であることを特徴とする請求項２に記載の光ディスク再生装置。
【請求項４】
前記システムコントローラは、挿入された光ディスクを判別するディスク判別手段と、前記判別された光ディスクがハイブリッド型の光ディスクであった場合に再生しようとするＨＤ層の２チャンネルのアクセスリスト情報を取得するアクセスリスト取得手段と、再生エリア切り換え要求が発生した場合に再生に必要な再生情報を指定再生エリア用に設定する再生情報設定手段と、前記再生情報が指定再生エリア用に設定された後に再生要求があるか否かを判定する再生要求判定手段と、前記再生要求があったとき指定再生エリアのアクセスリスト情報を要求するアクセスリスト要求手段と、前記指定再生エリアのアクセスリスト情報の要求があった時に前記指定再生エリアのアクセスリスト情報を取得してアクセスリスト情報を前記２チャンネルのアクセスリスト情報から前記指定再生エリアのアクセスリスト情報に入れ換えて前記指定再生エリアから再生を開始させる再生制御手段とを有することを特徴とする請求項２に記載の光ディスク再生装置。
【発明の詳細な説明】
【０００１】
【発明の属する技術分野】
本発明は光ディスクに記録された情報を再生する光ディスク再生装置に関し、特に、ＣＤ（Ｃｏｍｐａｃｔ  Ｄｉｓｃ）層とＨＤ（Ｈｉ−Ｄｅｆｉｎｉｔｉｏｎ）層からなるハイブリッド型の光ディスクに記録された情報も再生可能な光ディスク再生装置に関する。
【０００２】
【従来の技術】
近年、ＣＤよりも大容量な新たな光ディスクであるＤＶＤ（Ｄｉｇｉｔａｌ  Ｖｅｒｓａｔｉｌｅ  Ｄｉｓｃ）普及してきている。このＤＶＤは、例えば直径１２ｃｍの光ディスクに従来のＣＤのトラックピッチ１．６μｍの半分の０．８μｍで情報を記録し、半導体レーザの波長をＣＤの７８０ｎｍから６３０ｎｍに変更し、更にＣＤで採用されたＥＦＭ（Ｅｉｇｈｔ  ｔｏ  Ｆｏｕｒｔｅｅｎ  Ｍｏｄｕｌａｔｉｏｎ）変調方式に改良を加えて片面で約４Ｇバイト相当の高密度記録を実現させている。このようなＤＶＤにおいては、記録層として２つの層を備えたハイブリッド型の光ディスクも普及しつつある。
【０００３】
このようなハイブリッド型の光ディスクがＳＡＣＤ（Ｓｕｐｅｒ  Ａｕｄｉｏ  ＣＤ）であった場合、一方の層であるＣＤ層には例えば４４．１ＫＨｚでサンプリングされた１６ビットデジタルオーディオ信号が記録され、他方の層であるＨＤ層には例えば２．８４２ＭＨｚでシグマΔ変調された１ビットデジタルオーディオ信号が記録される。そして、ＨＤ層は、２チャンネルエリアとマルチチャンネルエリアとに区分されている。
【０００４】
ところで、このようなＳＡＣＤの情報も再生可能な従来の光ディスク再生装置では、ＳＡＣＤを再生する場合、先ず、ＨＤ層の２チャンネルエリアのオーディオ信号が再生され、次にＨＤ層のマルチチャンネルエリアのオーディオ信号が再生され、この後、ＣＤ層のオーディオ信号が再生されるようになっている。即ちキー操作による再生エリアの切り換え仕様は、ＨＤ層の２チャンネルエリア、ＨＤ層のマルチチャンネルエリア、ＣＤ層のエリアの順に切り換えられるようになっている。
【０００５】
ＳＡＣＤの情報を再生する際、時間情報からアドレス情報への変換時にＴＯＣ（Ｔａｂｌｅ  Ｏｆ  Ｃｏｎｔｅｎｔｓ  ）情報のアクセスリスト情報が必要になる。前記時間情報とは、ＴＯＣ情報の中にある情報であり、各トラックの再生開始時間と再生時間のことを言う。前記アドレス情報とは、ＴＯＣ情報の中にある情報であり、各トラックの再生開始アドレスと再生セクタ数のことを言う。アクセスリスト情報は２チャンネルとマルチチャンネル毎に異なった情報を持ち、それぞれの情報は例えば６５Ｋバイトにもなる。
【０００６】
例えば、ＤＳＤフォーマットにおいて、１４セクタで３フレームを構成している場合、アクセスリスト情報に基づいて、時間情報からアドレス情報への変換はアドレス＝（時間情報×１４）÷３  という式で求めることができる。また、ＤＳＤフォーマットにおいて、１６セクタで３フレームを構成している場合、アクセスリスト情報に基づいて、時間情報からアドレス情報への変換は、アドレス＝（時間情報×１６）÷３  という式で求めることができる。また、ＤＳＴフォーマット（フレキシブル・フォーマット）においても、上記の計算式により、時間情報からアドレス情報に変換することができる。
【０００７】
【特許文献１】
特開平１１−２９６８６１号公報
【０００８】
【発明が解決しようとする課題】
従来の光ディスク再生装置においてＳＡＣＤの再生エリアを切り換える場合、例えば、ＨＤ層の２チャンネルエリアからマルチチャンネルエリアに再生エリアを切り換えたい場合、以下のような問題点が生じる。
【０００９】
即ち、ＳＡＣＤの情報を再生する場合は、先ず、ＨＤ層の２チャンネルのアクセスリスト情報がメモリに記憶され、２チャンネルエリアが再生可能となり、この時に再生エリア切り換え要求が発生すると、ＨＤ層のマルチチャンネルのアクセスリスト情報が更に前記メモリに記憶され、ＨＤ層のマルチチャンネルエリアが再生されるが、前記メモリには２チャンネルのアクセスリスト情報とマルチチャンネルのアクセスリスト情報がそれぞれ記憶されるので、例えば６５Ｋバイトの２倍の１３０Ｋバイトの情報が前記メモリの領域を占領し、メモリ負担が大きくなってしまうと言う課題が生じる。
【００１０】
また、ＨＤ層の２チャンネルエリアからＣＤ層のエリアに再生エリアを切り換える場合も、ＨＤ層のマルチチャンネルへの切り換えを経由してＣＤ層のエリアに移るので、この場合も、２チャンネルのアクセスリスト情報とマルチチャンネルのアクセスリスト情報がそれぞれメモリに記憶され、同様に１３０Ｋバイトの情報が前記メモリの領域を占領し、メモリ負担が大きくなってしまうと言う課題が生じる。
【００１１】
また、ＨＤ層の２チャンネルエリアからマルチチャンネルに再生エリアを切り換える場合、ＨＤ層の２チャンネルからＣＤ層のエリアに再生エリアを切り換える場合は、再生エリア切り換え要求が発生する度に、ＳＡＣＤからアクセスリスト情報を取得する処理が入るので、その分、余分な処理時間が必要となり、再生エリア切り換え時間が多くかかると言う課題が生じる。
【００１２】
なお、特許文献１の従来技術では、マルチレイヤディスク（ハイブリッド型の光ディスク）を再生する際に、ユーザが所望のレイヤ（層）を再生させること、および再生されているレイヤをユーザが認識できるようにしたものであり、上記のようなアクセスリスト情報の処理については述べられていないので、上記課題を解決できるものではない。
【００１３】
本発明は、上記のような課題を解決するためになされたもので、アクセスリスト情報を記憶するためのメモリの負担を軽減し、また、再生エリア切り換え時間の短縮を図れる光ディスク再生装置を提供することを目的とする。
【００１４】
【課題を解決するための手段】
上記目的を達成するために請求項１の発明は、第１のサンプリング周波数で量子化されたマルチビットデジタル信号が記録されたＣＤ層と、前記第１のサンプリング周波数よりも十分高い第２のサンプリング周波数で量子化された２チャンネルの１ビットデジタル信号とマルチチャンネルの１ビットデジタル信号とが予め区分されたエリアにそれぞれ記録されたＨＤ層とから構成されるハイブリッド型の光ディスクに対しても再生することができる光ディスク再生装置において、挿入された光ディスクを判別するディスク判別手段と、前記判別された光ディスクがハイブリッド型の光ディスクであった場合に再生しようとするＨＤ層の２チャンネルのアクセスリスト情報を取得するアクセスリスト取得手段と、再生エリア切り換え要求が発生した場合に再生に必要な再生情報を指定再生エリア用に設定する再生情報設定手段と、前記再生情報が指定再生エリア用に設定された後に再生要求があるか否かを判定する再生要求判定手段と、前記再生要求があったとき指定再生エリアのアクセスリスト情報を要求するアクセスリスト要求手段と、前記指定再生エリアのアクセスリスト情報の要求があった時に前記指定再生エリアのアクセスリスト情報を取得してアクセスリスト情報を前記２チャンネルのアクセスリスト情報から前記指定再生エリアのアクセスリスト情報に入れ換えて前記指定再生エリアから再生を開始させる再生制御手段と有するシステムコントローラを備えたことを特徴とする光ディスク再生装置を提供する。
【００１５】
この構成において、挿入された光ディスクがディスク判別手段によりハイブリッド型の光ディスクであると判別された場合、再生しようとするＨＤ層の２チャンネルのアクセスリスト情報がアクセスリスト取得手段により取得される。再生エリア切り換え要求が発生した場合に、再生に必要な再生情報が再生情報設定手段により指定再生エリア用に設定され、この後、再生要求判定手段により前記再生要求があったと判定されたとき、指定再生エリアのアクセスリスト情報がアクセスリスト要求手段により要求され、そのデータ要求があった時に、再生制御手段により指定再生エリアのアクセスリスト情報が取得され、アクセスリスト情報が前記２チャンネルのアクセスリスト情報から前記指定再生エリアのアクセスリスト情報に入れ換えられ、指定再生エリアから再生が開始される。
【００１６】
この構成によれば、再生エリア切り換え要求が発生した時に、ここではアクセスリスト情報を取得せずに、その後、再生要求が発生した時に、アクセスリスト情報を取得するので、アクセスリスト情報を記憶するためのメモリの負担を軽減し、また、再生エリア切り換え時間の短縮を図れる。
【００１７】
請求項２の発明は、第１のサンプリング周波数で量子化されたマルチビットデジタル信号が記録されたＣＤ層と、前記第１のサンプリング周波数よりも十分高い第２のサンプリング周波数で量子化された２チャンネルの１ビットデジタル信号とマルチチャンネルの１ビットデジタル信号とが予め区分されたエリアにそれぞれ記録されたＨＤ層とから構成されるハイブリッド型の光ディスクに対しても再生することができる光ディスク再生装置において、最初、再生しようとするエリアだけのアクセスリスト情報を取得して、再生エリアの切り換え要求が発生し、次に再生要求が発生した時に、前記アクセスリスト情報に代わり、前記再生要求で指定された再生エリアのアクセスリスト情報を取得し、この後、前記指定されたエリアの再生を開始するように制御を行うシステムコントローラを備えたことを特徴とする光ディスク再生装置を提供する。
【００１８】
この構成において、最初、再生しようとするエリアだけのアクセスリスト情報が取得され、再生エリアの切り換え要求が発生し、次に、再生要求が発生した時に、前記アクセスリスト情報に代わり、前記再生要求で指定された再生エリアのアクセスリスト情報が取得され、この後、前記指定されたエリアの再生が開始される。
【００１９】
この構成によれば、再生エリア切り換え要求が発生した時に、ここではアクセスリスト情報を取得せずに、その後、再生要求が発生した時に、アクセスリスト情報を取得するので、アクセスリスト情報を記憶するためのメモリの負担を軽減し、また、再生エリア切り換え時間の短縮を図れる。
【００２０】
請求項３の発明では、前記アクセスリスト情報とは、時間情報からアドレス情報への変換を行うための情報であるので、各トラックの再生開始時間と再生時間から各トラックの再生開始アドレスと再生セクタ数を得ることができ、これにより、指定再生エリアの情報が再生可能になる。
【００２１】
請求項４の発明では、前記システムコントローラは、挿入された光ディスクを判別するディスク判別手段と、前記判別された光ディスクがハイブリッド型の光ディスクであった場合に再生しようとするＨＤ層の２チャンネルのアクセスリスト情報を取得するアクセスリスト取得手段と、再生エリア切り換え要求が発生した場合に再生に必要な再生情報を指定再生エリア用に設定する再生情報設定手段と、前記再生情報が指定再生エリア用に設定された後に再生要求があるか否かを判定する再生要求判定手段と、前記再生要求があったとき指定再生エリアのアクセスリスト情報を要求するアクセスリスト要求手段と、前記指定再生エリアのアクセスリスト情報の要求があった時に前記指定再生エリアのアクセスリスト情報を取得してアクセスリスト情報を前記２チャンネルのアクセスリスト情報から前記指定再生エリアのアクセスリスト情報に入れ換えて前記指定再生エリアから再生を開始させる再生制御手段とを有するので、再生エリア切り換え要求が発生した時に、ここではアクセスリスト情報を取得せずに、その後、再生要求が発生した時に、アクセスリスト情報が取得されるようになる。
【００２２】
【発明の実施の形態】
以下、添付図面を参照しつつ、本発明の実施の形態について説明する。図１は本発明の一実施形態に係る光ディスク再生装置の構成を示すブロック図である。この光ディスク再生装置は、光ピックアップ３、ＲＦアンプ４、エラー訂正／デコーダ回路７、メモリコントローラ８、バッファメモリ９、Ｄ／Ａ変換回路１０、システムコントローラ１１、サーボ回路５、駆動回路６、スピンドルモータ２、操作部１２、および表示部１３を備えている。
【００２３】
光ピックアップ３は、図示しない対物レンズ、２軸機構、半導体レーザ、および前記半導体レーザの出射光が光ディスク１の表面で反射して反射光を受光する受光部を含み構成されている。光ディスク再生装置の図示しないターンテーブルに載置されている光ディスク１が、図２に示すようなハイブリッド構成を有するＳＡＣＤ（スーパー・オーディオ・コンパクト・ディスク）の場合は、ＣＤ層のエリアを再生するときには、７８０ｎｍの波長を出射する半導体レーザが用いられ、ＨＤ層を再生する場合は６８０ｎｍの短波長の半導体レーザが用いられるように光路を切り換える。
【００２４】
光ピックアップ３には、２つの対物レンズが備えられており、ＣＤ層のエリアを再生する場合には開口率０．４５のレンズが用いられ、ＨＤ層のエリアを再生する場合は開口率０．６のレンズが用いられるように光路を切り換える。光ディスク再生装置に装填された光ディスク１がＣＤの場合は、ハイブリッド型の光ディスクのＣＤ層のエリアを再生する場合と同様となる。
【００２５】
なお、ホログラム一体型非球面レンズを用いれば、上述したような光ピックアップ３内部に２つの対物レンズを設ける必要が無く、１つのレンズで半導体レーザの光路を切り換えるのみで構成できるので、このような構成を有する光ピックアップを用いても良い。
【００２６】
光ピックアップ３の２軸機構には、対物レンズを光ディスク１に接離する方向に駆動するフォーカス用コイルと、前記対物レンズを光ディスク１の半径方向に駆動するトラッキング用コイルとが形成されている。また、この光ディスク再生装置には、光ピックアップ３全体を光ディスク１の半径方向に大きく移動させるスレッドモータ（図示せず）が備えられている。
【００２７】
光ピックアップ３内の受光部にて検知した反射光はＲＦアンプ４に供給され、このＲＦアンプ４での電流／電圧変換、マトリクス演算処理により、フォーカスエラー信号およびトラッキングエラー信号が生成されると共に再生情報としてのＲＦ信号の生成される。
【００２８】
前記生成されたフォーカスエラー信号およびトラッキングエラー信号は、サーボ回路５にて位相補償、利得調整をされた後に駆動回路６を介してフォーカス用コイルとトラッキング用コイルとに印加される。更に、トラッキングエラー信号はサーボ回路５内のローパスフィルタを介することによりスレッドエラー信号を生成し、このスレッドエラー信号は駆動回路６を介して図示しないスレッドモータに印加される。
【００２９】
更に、ＲＦアンプ４にて生成されたＲＦ信号は、載置されている光ディスク１がＣＤの場合は、エラー訂正／デコーダ回路７において、２値化してＥＦＭ復調を行うと共にＣＩＲＣ（Ｃｒｏｓｓ  Ｉｎｔｅｒｌｅａｖｅ  Ｒｅａｄ  ｓｏｌｏｍｏｎ  Ｃｏｄｉｎｇ）によるエラー訂正処理を行った後にメモリコントローラ８に入力される。
【００３０】
一方、ターンテーブルに載置されている光ディスク１がハイブリッド型の光ディスクの場合において、ＣＤ層のエリアを再生する場合には、ＣＤの場合と同様にエラー訂正／デコーダ回路７において、２値化、ＥＦＭ復調、ＣＩＲＣエラー訂正処理が行われてメモリコントローラ８に供給される。
【００３１】
ハイブリッド型の光ディスクのＨＤ層のエリアを再生する場合には、エラー訂正／デコーダ回路７において２値化してＥＦＭ−Ｐｌｕｓ復調を行うと共に積符号（ｐｒｏｄｕｃｔ  ｃｏｄｅ）に基づくエラー訂正処理が行われることになる。
【００３２】
また、エラー訂正／デコーダ回路７では、２値化したＥＦＭ信号もしくはＥＦＭプラス信号の基準クロックとの比較により速度エラー信号および位相エラー信号を生成して駆動回路６に供給することで光ディスク１をスピンドルモータ２にて回転制御する。更に、エラー訂正／デコーダ回路７では、２値化したＥＦＭ信号またはＥＦＭプラス信号に基づいてＰＬＬ（Ｐｈａｓｅ  Ｌｏｃｋｅｄ  Ｌｏｏｐ  ）の引き込み動作を制御する。
【００３３】
エラー訂正後の２値化データは、メモリコントローラ８を介して所定の転送レートでバッファメモリ９に書き込まれる。バッファメモリ９に所定量以上のデータが蓄積されたらバッファメモリ９から書き込みの転送レートより十分遅い第２の転送レートにて読み出しを行う。このようにバッファメモリ９に一旦データを蓄えてからオーディオデータとして出力するようにしたので、例えば、振動などの外乱によってトラックジャンプが生じて光ピックアップ３からの連続したデータ読み出しが途絶えたとしても、光ピックアップ３のトラックジャンプが発生したアドレスへの再配置に要する時間に相当するデータは予めバッファメモリ９に蓄積されているので、オーディオ出力としては連続したオーディオデータ出力が実現できる。
【００３４】
なお、メモリコントローラ８は、システムコントローラ１１によって制御されている。メモリコントローラ８によって、バッファメモリ９から読み出されたデジタルデータはＤ／Ａコンバータ１０にてアナログオーディオ信号に変換され、右チャンネル音声出力と左チャンネル音声出力として出力される。
【００３５】
システムコントローラ１１は、操作部１２の各種操作キーの操作に応じて各種サーボ用のコマンドをサーボ回路５に転送したり、メモリコントローラ８に対してバッファメモリ９の制御の指令を与えたり、演奏経過時間や再生しているプログラムのタイトルなどの文字情報の表示を表示部１３に表示するように制御を行ったり、エラー訂正／デコーダ回路７でのスピンドルサーボ制御やデコーダ制御を行ったりする。
【００３６】
本実施形態におけるシステムコントローラ１１は、フロントエンド１１０を備え、このフロントエンド１１０は、挿入された光ディスクを判別するディスク判別手段１１１と、前記判別された光ディスクがハイブリッド型の光ディスクであった場合に再生しようとするＨＤ層の２チャンネルのアクセスリスト情報を取得するアクセスリスト取得手段１１２と、再生エリア切り換え要求が発生した場合に再生に必要な再生情報を指定再生エリア用に設定する再生情報設定手段１１３と、前記再生情報が指定再生エリア用に設定された後に再生要求があるか否かを判定する再生要求判定手段１１４と、前記再生要求があったとき指定再生エリアのアクセスリスト情報を要求するアクセスリスト要求手段１１５と、前記指定再生エリアのアクセスリスト情報の要求があった時に前記指定再生エリアのアクセスリスト情報を取得してアクセスリスト情報を前記２チャンネルのアクセスリスト情報から前記指定チャンネルのアクセスリスト情報に入れ換えて前記指定再生エリアから再生を開始させる再生制御手段１１６と有する。
【００３７】
図２は本実施形態においてハイブリッド型の光ディスクであるＣＡＣＤの構造を説明するための図である。図２において、この光ディスクは、ＣＤ層２１、ＨＤ層２２、ＣＤサブストレート２３、ＨＤサブストレート２４、上面側のレーベル面２５、およびリード面２６から構成されている。ＨＤ層２２は、図３に示すように、内周側に２チャンネルエリア２２ａとマルチチャンネルエリア２２ｂに予め区分されている。
【００３８】
次に図４を参照して本実施形態の特徴とする再生エリア切り換え処理の動作について説明する。先ず、再生したい情報が記録されている光ディスクを光ディスク再生装置に挿入して（ステップＳ１）、当該光ディスクがＳＡＣＤであるとディスク判別手段１１１により判別されると（ステップＳ２）、２チャンネルとマルチチャンネルのＴＯＣ情報を取得し（ステップＳ３）、アクセスリスト取得手段１１２は、２チャンネルのアクセスリスト情報を取得し（ステップＳ４）、バッファメモリ９に格納する。そして、再生情報を２チャンネル用に設定し（ステップＳ５）、ユーザから再生要求があった指定トラックから再生を開始する（ステップＳ６）。
【００３９】
ここで、ユーザより再生エリア切り換え要求（マルチチャンネル切り換え要求あるいはＣＤ層切り換え要求）が発生すると（ステップＳ７）、２チャンネルの指定トラックの再生を停止させる停止処理が行われる（ステップＳ８）。そして再生情報設定手段１１３は、再生情報を指定再生エリア用（マルチチャンネル用あるいはＣＤ層用）に設定し（ステップＳ９）、その後、ユーザより再生要求があって、再生要求判定手段１１４は、再生要求ありと判定すると（ステップＳ１０）、アクセスリスト要求手段１１５は指定再生エリア（マルチチャンネルあるいはＣＤ層）のアクセスリスト情報を要求する（ステップＳ１１）。
【００４０】
これにより、再生制御手段１１６は、前記指定再生エリア（マルチチャンネルあるいはＣＤ層）のアクセスリスト情報を取得して（ステップＳ１２）、バッファメモリ９に格納されているアクセスリスト情報を、前記２チャンネルのアクセスリスト情報から前記指定再生エリア（マルチチャンネルあるいはＣＤ層）のアクセスリスト情報に入れ換え、前記指定再生エリア（マルチチャンネルあるいはＣＤ層）から再生を開始させる（ステップＳ６）。
【００４１】
一方、再生エリア切り換え要求が発生しない場合は（ステップＳ７）、そのまま２チャンネルの指定トラックを通常再生していく。その指定トラックのうち１トラックの再生を終了すると（ステップＳ１３）、その１トラックが最終トラックであるか否かが判定される（ステップＳ１４）。
【００４２】
その１トラックが最終トラックでないときは、トラック数をインクリメントし（ステップＳ１７）、次の１トラックを再生し（ステップＳ６，Ｓ７，Ｓ１３）、その１トラックが最終トラックになると（ステップＳ１４）、再生を停止処理し（ステップＳ１５）、この結果、再生が終了する（ステップＳ１６）。
【００４３】
【発明の効果】
以上のように本発明によれば、挿入された光ディスクを判別するディスク判別手段と、前記判別された光ディスクがハイブリッド型の光ディスクであった場合に再生しようとするＨＤ層の２チャンネルのアクセスリスト情報を取得するアクセスリスト取得手段と、再生エリア切り換え要求が発生した場合に再生に必要な再生情報を指定再生エリア用に設定する再生情報設定手段と、前記再生情報が指定再生エリア用に設定された後に再生要求があるか否かを判定する再生要求判定手段と、前記再生要求があったとき指定再生エリアのアクセスリスト情報を要求するアクセスリスト要求手段と、前記指定再生エリアのアクセスリスト情報の要求があった時に前記指定再生エリアのアクセスリスト情報を取得してアクセスリスト情報を前記２チャンネルのアクセスリスト情報から前記指定再生エリアのアクセスリスト情報に入れ換えて前記指定再生エリアから再生を開始させる再生制御手段と有するシステムコントローラを備えたので、再生エリア切り換え要求が発生した時に、ここではアクセスリスト情報を取得せずに、その後、再生要求が発生した時に、アクセスリスト情報を取得するようになり、したがって、アクセスリスト情報を記憶するためのメモリの負担を軽減し、また、再生エリア切り換え時間の短縮を図れる。
【００４４】
また、本発明によれば、最初、再生しようとするエリアだけのアクセスリスト情報を取得して、再生エリアの切り換え要求が発生し、次に再生要求が発生した時に、前記アクセスリスト情報に代わり、前記再生要求で指定された再生エリアのアクセスリスト情報を取得し、この後、前記指定されたエリアの再生を開始するように制御を行うシステムコントローラを備えたので、再生エリア切り換え要求が発生した時に、ここではアクセスリスト情報を取得せずに、その後、再生要求が発生した時に、アクセスリスト情報を取得するようになり、したがって、アクセスリスト情報を記憶するためのメモリの負担を軽減し、また、再生エリア切り換え時間の短縮を図れる。
【図面の簡単な説明】
【図１】本発明の一実施形態に係る光ディスク再生装置の構成を示すブロック図である。
【図２】前記実施形態においてハイブリッド型の光ディスクであるＳＡＣＤの構造を説明するための図である。
【図３】前記ハイブリッド型の光ディスクであるＳＡＣＤのエリアを説明するための図である。
【図４】前記実施形態の光ディスク再生装置の特徴とする再生エリア切り換え処理の動作を説明するためのフローチャートである。
【符号の説明】
１    光ディスク
１１    システムコントローラ
２１    ＣＤ層
２２    ＨＤ層
１１１    ディスク判別手段
１１２    アクセスリスト取得手段
１１３    再生情報設定手段
１１４    再生要求判定手段
１１５    アクセスリスト要求手段
１１６    再生制御手段
【図１】
2005050390.tif 000003
【図２】
2005050390.tif 000004
【図３】
2005050390.tif 000005
【図４】
2005050390.tif 000006